(57)【要約】      （修正有）【課題】操作過程が迅速、容易、精確である伸縮卓脚構造を提供する。【解決手段】伸縮卓脚構造は、外筒１、内筒２及びロック限位機構３を含み、内筒は、軸方向に沿って移動可能に外筒に嵌合し、外筒の中心は、位置決めロッド１１を固定し、位置決めロッドの縦方向のセクション大部分は、２つの平行面と円弧面が互いに接続してなり、２つの円弧面は、セクションの縦方向に複数組の位置決め凹溝を有し、ロック限位機構は、キャリア３１及び限位部材３２を含み、限位部材は、キャリアのソケット内に制限され、且つ両者は、角度のみ回転することができ、キャリアは、内筒上端に固定され、その中心に軸孔を有し且つ内部に更に、少なくとも２つの平行ロッドを設け、横向きに軸孔を通過させ、位置決めロッドは、軸孔内に位置し且つ局部セクションが２つの平行ロッドの間に制限され、更に、限位部材の中心に滑動孔を有し、位置決めロッドの横断面は、滑動孔と同じであり、滑動孔を通過する。【選択図】図２
0003211603.tif 000002
【実用新案登録請求の範囲】
【請求項１】
筒内中心に位置決めロッドを固定し、該位置決めロッドの縦方向の大部分のセクションは、２つの平行面及び２つの円弧面が互いに接してなり、該２つの円弧面があるセクションの縦方向に２つずつを１組とした複数組の位置決め凹溝を有する外筒と、
軸方向に沿って移動可能に該外筒内に嵌合される内筒と、
キャリア及び限位部材を含み、該限位部材が該キャリアのソケット内に制限され、且つ両者は、所定角度のみ回転されることができ、該キャリアは、該内筒上端に固定され、該キャリア中心に軸孔を有し且つ内部に更に少なくとも２つの平行ロッドを設け、該軸孔を横方向に貫通し、該位置決めロッドは、該軸孔を通過し且つ局部セクションは、該２つの平行ロッドの間に制限され、該限位部材中心に滑動孔を有し、該位置決めロッドの横断面は、該滑動孔と同じであり、該滑動孔を通過するロック限位機構と、
を含み、
該内筒が回転された後、該２つの平行ロッドが該２つの平行面に平行な位置に位置する場合、該内筒は、外筒内で伸縮移動し、該内筒が回転され、該２つの平行ロッドを該２つの位置決め凹溝内に位置させる場合、該内筒は、固定され且つ該祖筒内で移動することができない、伸縮卓脚構造。
【請求項２】
前記位置決めロッドの該２つの平行面の間の最短距離は、該位置決め凹溝の間の最小直径以下であり、該２つの平行ロッドの間の最短距離は、該２つの位置決め凹溝の間の最小直径以上であり、且つ該位置決めロッドの最大直径より小さい請求項１に記載の伸縮卓脚構造。
【請求項３】
前記キャリア内の該２つの平行ロッドを１組とし、上下の異なる位置に２組設け、且つ２組の該平行ロッドの縦方向の距離は、縦方向に隣り合う２つの該位置決め凹溝の間の距離に等しい請求項１に記載の伸縮卓脚構造。
【請求項４】
前記キャリア内に更に少なくとも１組の弾性係合組を設け、該弾性係合組は、該キャリアの穴溝内に取り付けられ、該穴溝は、該２つの平行ロッドの間に位置し且つ溝口は該軸孔に向き合い且つ垂直になり、該弾性係合組は、バネと金属ボールを含み、該バネは、該穴溝内に位置され、該金属ボールを当接して該位置決めロッドと接触する請求項１に記載の伸縮卓脚構造。
【請求項５】
前記限位部材及び該キャリアの両者は、所定角度のみ相対回転でき、その構造は、該ソケット内に上向きに延伸する少なくとも１つの位置決め柱を有し、該限位部材の相対位置に少なくとも１つの孤形ガイド溝を有し、該位置決め柱は、該弧形ガイド溝内に位置し、該限位部材及び該キャリアの両者を９０度のみ回転可能にさせる請求項１に記載の伸縮卓脚構造。
【請求項６】
前記限位部材及び該キャリアの両者は、所定角度のみ回転でき、その構造は、該ソケットの中心位置付近に下向きに延伸する軸受け溝を更に含み、該軸受け溝の局部セクションは、径方向の寸法が比較的大きな少なくとも１つの嵌合部を更に有し、該限位部材は、更に相対位置に下向きに延伸する軸部を有し、該軸部の部分の局部セクションは、径方向の寸法が比較的大きな少なくとも１つの嵌合部を有し、該軸部は、該軸受け溝内に取り付けられ、該嵌合部は、嵌合溝内の回転移動を制限することができる請求項１に記載の伸縮卓脚構造。
【請求項７】
前記限位部材の円周壁に少なくとも１つの凸点を有し、該限位部材の該凸点の所在位置付近に貫通する緩衝孔を有し、該凸点を中心へ向けて径方向弾性偏移させ、該キャリアは、該ソケットの垂直壁面に少なくとも２つの位置が異なる凹溝を形成し、該凸点は、適時そのうち１つの該凹溝内に位置することができる請求項１に記載の伸縮卓脚構造。
【請求項８】
更に、２つの固定ネジを設け、該固定ネジは、該位置決め柱にロックすることができ、該ネジの寸法は、弧形ガイド溝より大きく、該限位部材及び該キャリアの両者を相対回転可能であるが、離脱できないようにする請求項５に記載の伸縮卓脚構造。
【考案の詳細な説明】
【技術分野】
【０００１】
本考案は、伸縮卓脚構造の技術領域に関し、特に、手動回転方式でロック又はロック解除の位置を切り換え、卓脚の長さを伸縮調整する設計に関する。
【背景技術】
【０００２】
近年の工芸技術の進歩に伴い、消費者は、製品を購入時、製品の価格を考慮する以外に、使用寿命、利便性、及び安全性等の多くについて考慮する。テーブルを例とし、高さ固定式である場合、異なる使用者の体形に対して高さを調整することができず、特に、学習デスクである場合、使用者は、児童が青少年に成長し、卓面の高さが調整できない場合、学習デスクを快適に使用することができなくなる。
【０００３】
卓面の高さを調整するため、伸縮卓脚構造が誕生しており、従来の構造は、主に外管、内管を含み、該内管は、外管内に送入され、軸方向に伸縮移動でき、手動方式で卓面の高さを調整し、調整後の位置決め原理は、以下の数種である。
１．ねじ山ロック方式：内外管の接合個所にねじ山を有し、回転方式で高さを調整し、欠点は、テーブルが少なくとも３本の卓脚を有し、調整後に各卓脚が何れも同じ高さになるように即座に確保することができず、時間を消費して各脚の高さを位置合わせする必要があることにある。
２．挿入ピンロック方式：ピンを外管及び内管の縦方向の風数の位置決め孔に貫通させ、調整後の高さをロックし、欠点は、毎回ピンを抜き差しし、その後に改めて位置合わせし、位置決め孔に挿入し、時間、工程を消費し、且つ突出したピンが消費者のテーブル使用時に脚を傷付け易く、安全上の懸念がある。
３．ラチェットロック方式：内外管が単一方向に漸近的に増加する方式で引き出し後に固定し、欠点は、一端引き出した高さが要求に合わない場合、内管を完全に引き出し且つロックを解除した後、再度初期位置に戻した後、長さを再調整でき、時間工程を消費する。
【先行技術文献】
【特許文献】
【０００４】
【特許文献１】特開２００３−１３６８２号公報
【考案の概要】
【考案が解決しようとする課題】
【０００５】
本考案の目的は、手動操作調整構造であり、回転方式でロック解除及びロック位置を切り換え、その後、長さを引き出し調整するだけでよく、ロック解除角度の回転は、９０度のみであり、操作過程が迅速、容易、精確である伸縮卓脚構造を提供することである。
【０００６】
本考案のもう１つの目的は、関連位置決め機構は、内部に隠れ、外形に更に合理的美観をもたせ、操作が非常に容易で且つ故障率が低い、外観に美しく且つ使用に便利な伸縮卓脚構造を提供することである。
【課題を解決するための手段】
【０００７】
上記の目的を達成する為、本考案は、外筒、内筒及びロック限位機構を含み、該外筒の中心は、位置決めロッドを固定し、該位置決めロッドの縦方向の大部分のセクションは、２つの平行面及び２つの円弧面が互いに接続してなり、そのうち、該２つの円弧面は、セクションの縦方向に２つずつ一組の複数組の位置決め凹溝を有し、該内筒は、軸方向に沿って移動する方式該外筒内に嵌合し、該ロック限位機構は、キャリア及び限位部材を含み、該限位部材は、該キャリア上部のソケット内に制限され、且つ両者は、所定角度のみ回転されることができ、該キャリアは、該内筒上端に固定され、該キャリアの中心に軸孔を有し且つ内部に更に、少なくとも２つの平行ロッドを有し、横向きに該軸孔を通過させ、該位置決めロッドは、該軸孔内に位置し且つ局部セクションが該２つの平行ロッドの間に制限され、更に、該限位部材の中心に滑動孔を有し、該位置決めロッドの横断面は、該滑動孔と同じであり、該滑動孔を通過し、これにより、該内筒が回転され、該２つの平行ロッドを該位置決めロッドの該２つの平行面に平行にさせるか、接触させ、該内筒が該外筒内で伸縮移動でき、反対に該内筒が回転された後、該２つの平行ロッドを該２つの位置決め凹溝内に位置させれば、該内筒位置が固定される。
【０００８】
本考案は、調整後の係合位置決め効果を強化するため、該平行ロッドは、２本を１組とし、本考案は、上下異なる高さ位置に共に２組を設け、且つ２組の間の距離は、縦方向の隣り合う２組の位置決め凹溝の間の距離と同じである。
【０００９】
本考案は、毎回卓脚の高さ調整後、該内筒は、何れもロック解除及びロックの位置を切り換えることができ、本考案は、該キャリア内に更に、少なくとも１組の弾性係合組を設け、該弾性係合組は、該キャリアの少なくとも１つの穴溝内に取り付けられ、該穴溝は、該２つの平行ロッドの間に位置し、且つ溝口が該軸孔に向き合って連通し、該穴溝は、該軸孔に垂直である。該弾性係合組は、バネ及び金属ボールを含み、該バネは、該穴溝内に位置し、該金属ボールを押して該位置決めロッドと接触する。毎回調整後該金属ボールが該位置決め凹溝内に位置し、ロック解除及びロックを切り換えることができる位置を表示する。
【００１０】
本考案の該限位部材及び該キャリアの両者は、所定角度のみ相対回転でき、その限位構造は、２種の方式があり、１つは、該ソケット内に更に、上向きに延伸する少なくとも１つの位置決め柱を有し、該限位部材の相対位置は、少なくとも１つの弧形ガイド溝を有し、該位置決め柱は、該弧形ガイド溝内に位置し、該限位部材及びキャリアの両者を９０度のみ回転可能にする。２つは、該ソケットの中心寄りの位置に更に下向きに延伸する軸受け溝を含み、該軸受け溝の局部セクションは、更に、径方向の寸法が比較的大きな少なくとも１つの嵌合溝を有し、該限位部材は、相対位置に下向きに延伸する軸部を有し、該軸部の一部のセクションは、径方向の寸法が比較的大きな少なくとも１つの嵌合部を有し、該軸部は、該軸受け溝内に取り付けられ、該嵌合部は、嵌合溝内で回転移動できるよう制限する。二重の限位構造により、長時間の使用周波数を確保し、回転後の内筒及び外筒の相対位置が失効することがない。
【００１１】
本考案において、該内筒回転後に正確なロック及びロック解除位置に位置するように補助するため、該限位部材の円周壁に少なくとも１つの凸点を有し、該限位部材の該凸点の所在位置付近に貫通した緩衝孔を有し、該凸点を中心から径方向に弾性変位させることができ、該ソケットの垂直壁面に少なくとも２つの位置の異なる凹溝を有し、該内筒が回転された後、該凸点が異なる凹溝内に位置すれば、それぞれロック又はロック解除状態を表す。
【考案の効果】
【００１２】
本考案の伸縮卓脚構造は、外筒、内筒及びロック限位機構を含み、内筒は、軸方向に沿って移動可能に該外筒に嵌合し、外筒の中心は、位置決めロッドを固定し、位置決めロッドの縦方向のセクション大部分は、２つの平行面及び２つの円弧面が互いに接続してなり、２つの円弧面は、セクションの縦方向に複数組の位置決め凹溝を有し、ロック限位機構は、キャリア及び限位部材を含み、限位部材は、キャリアのソケット内に制限され、且つ両者は、角度のみ回転されることができ、キャリアは、内筒上端に固定され、その中心に軸孔を有し且つ内部に更に、少なくとも２つの平行ロッドを設け、横向きに軸孔を通過させ、位置決めロッドは、軸孔内に位置し且つ局部セクションが２つの平行ロッドの間に制限され、更に、限位部材の中心に滑動孔を有し、位置決めロッドの横断面は、滑動孔と同じであり、滑動孔を通過する。これにより、使用者は、該内筒を回転することによってロック及びロック解除の位置を切り換え、ロック解除状態において、該内筒は、該外筒内で伸縮移動して卓脚の長さを調整し、反対に、ロック固定位置に回転すると、両者が固定されることができる。
【図面の簡単な説明】
【００１３】
【図１】本考案の立体図である。
【図２】本考案の断面図である。
【図３】本考案の外筒、内筒及びロック限位機構の分解図である。
【図４】本考案のロック限位機構及び位置決めロッドの組み立て後の立体図である。
【図５】本考案のロック限位機構の分解図である。
【図６】本考案のロック状態の簡易構造説明図である。
【図７】本考案のロック解除状態の簡易構造説明図である。
【図８】本考案のロック状態の縦方向断面説明図である。
【図９】本考案のロック解除状態の縦方向断面説明図である。
【図１０】本考案の該弾性係合組の所在位置に対応した縦方向断面図である。
【図１１Ａ】図８のＡＡ面の断面説明図である。
【図１１Ｂ】図８のＢＢ面の断面説明図である。
【考案を実施するための形態】
【００１４】
以下に図面及び部材符号を合わせ、本考案の実施方式に対して更に詳細な説明を行い、当業者に本明細書を閲読後に実施可能にさせる。
【００１５】
図１、図２及び図３を参照し、それらは、それぞれ本考案の立体図、断面説明図及び分解図である。本考案の伸縮卓脚構造は、外筒１、内筒２及びロック限位機構３を含む。該外筒１は、卓板底面にロックされることに用いられ、該内筒２は、該外筒１内に挿入設置され、軸方向に沿って移動でき、該内筒２底部により地面と接触する。該ロック限位機構３は、該内筒２上端に取り付け、固定され、本実施例においては、ネジ４でロックする（図１０を参考することもできる）。該ロック限位機構３は、制限し、該内筒２の伸縮調整方式を制御することに用いられ、本考案は、該内筒２を異なる角度位置に回転してロック及びロック解除状態の切り換えを行う。内筒２がロック解除位置に回転される場合、内筒２全体が引き出されるか、該内筒１内に押し戻されて、卓脚の高さを調整する目的を達成し、反対に、ロック位置まで回転される場合、該外筒１及び内筒２は、固定され、これにより操作調整に便利であり、且つロック効果が良好な設計を提供する。
【００１６】
続いて、各部材の構造について説明する。
該外筒１及び内筒２は、何れも円筒状の中空の細長い金属管であり、該内筒２は、軸方向に沿って移動可能な方式で該外筒１内に嵌合挿入され、両者の間は、上下の接合箇所に軸受けを取り付け、安定して軸向きに滑動又は回転させる。この種に構造は、単一種の方式に制限するものではなく、本実施例において、該外筒１の内の底部の開口に付近に軸受け１０１を取り付け、上方位置は、該ロック限位機構３の局部外壁をもう１つの軸壁とし、この方式は、該内筒２を該外筒１内で伸縮移動させ易くすることができる。該外筒１上部に更に上板１０２を有し、該上板１０２により卓板をロック固定する。当然、該上板１０２は、異なる卓板に基づいて異なる型式であることもできる。該内筒２底部に卓脚部材２０を取り付け、安定して地面に立たせることができる。上記構造の基本は従来と相似するので、ここでは、詳細を記載しない。
【００１７】
該外筒１の筒内の中心は、位置決めロッド１１を固定し、図２、図３、図４に示すようとおりであり、該位置決めロッド１１の局部は、縦宝庫に２つの平行面１１１及び互いに接する２つの円弧面１１２から構成され、その加工方式は、円柱を、縦方向に相対する２つの部分を除去し、削除箇所に２つの該平行面１１１を形成し、該位置決めロッド１１の横断面のプロファイルを、２つの平行線及び互いに接する２つの円弧線から構成させる（図１１Ａを参考できる）。また、該２つの円弧面１１２があるセクションの縦方向に２つを１組とした複数組の位置決め凹溝１１３を有し、各組の該２つの位置決め凹溝１３は、同一の水平面の位置にあり、且つ形状が半円形凹溝を呈し（図８参照）、該位置決めロッド１１は、該２つの平行面１１１の間の最短距離が該２つの位置決めロッド凹溝１１３の間細小直径以下である。最適な実施例は、該２つの平行面１１２の間の最短距離Ｔ２が近く、但し該２つの位置決め凹溝１１３の間の細小直径Ｔ１より小さいものである（図４参照）。
【００１８】
図５を参照し、該ロック限位機構３は、キャリア３１及び限位部材３２を含み、該限位部位３２は、該キャリア３１上部のソケット３１１内に制限され、且つ両者は、所定角度の相対運動のみ可能である。該ソケット３１１は、上向きに開口し、且つ形成される収容空間は、該限位部材３２と合わさる。該キャリア３１の組み立て時、該内筒２上端に固定され、外形は、階段状の階層を有する円形構造体を呈するが、中心に軸孔３１２を有し（図５、図９参照）、該軸孔３１２の一部のセクションの孔径は、該位置決めロッド１１より大きい。該キャリア３１内部には、更に少なくとも２つを１組とした平行ロッド３１３を設ける。該２つの平行ロッド３１３は、横方向に垂直に該軸孔３１２を通過する。該２つの平行ロッド３１３の間の最短距離は、該２つの位置決め凹溝１１３の間の最小直径以下であり、且つ該位置決めロッド１１の最大直径（即ち、該２つの円弧面１１２の間の最大直径）より小さく、該平行ロッド３１３の形状は、該位置決め凹溝１１３に合わさる。また、該限位部材３２の中心は、滑動孔３２１を有し、該滑動孔３２１の横断面の形状は、該位置決めロッド１１の横断面と同じである。滑動時、該滑動孔３２１は、該位置決めロッド１１を通過させ、ロッド体の軸方向に沿って滑動させることができ、回転時、該限位部材３２は、該位置決めロッド１１と同期動作する。
【００１９】
本考案の実際の操作方式は、該外筒１及び内部の位置決めロッド１１は、動かないように固定され、該内筒２を回転することによって該キャリア３１の同期回転を連動し、ロック解除又はロックの位置を切り換える。該内筒２は、ロック解除位置において、該内筒２は、引き出されるか、該外筒１内に押し戻されることができ、伸縮によって長さを調整する目的を達する。その動作干す位器は、該キャリア３１がロック位置まで回転する時（図６、図８参照）、該２つの平行ロッド３１３は、該位置決め凹溝１１３内に位置し、故にキャリア３１は、軸方向に移動されることができず、従って、該外筒１及び内筒２の位置が固定される。該ロック解除状態において、図７、図９に示すように、該内筒２がもう１つの定点まで回転され（９０度）、該キャリア３１内の該２つの平行ロッド３１３が該平行面１１１と接触して平衡状態になるまで回転し、故に、該平行ロッド３１３は、上下軸方向に移動でき、相対して該キャリア３１及び限位部材３２から構成される該ロック限位機構３は、該内筒２と同期して該外筒１内で軸方向に移動し、卓脚の長さを調整する目的を達成する。高さをもう１つの定点位置に調整後、該内筒２は、再度元のロック位置に回転して戻る必要があり、即ち、元の係合状態を回復する。このように、操作に便利で、使用し易い卓脚構造を提供することができる。
【００２０】
本考案において、ロック時の係合効果を高めるため、２つのを１組とした平行ロッド３１３は、本実施例では、２組を有し、上下異なる位置に分けられ、且つ２組の平行ロッド３１３の縦方向の距離は、縦方向に隣り合う２つの位置決め凹溝１１３の縦方向の距離に等しい。
【００２１】
また、毎回卓脚の長さを調整した後、該内筒２の所在位置は、更に精確に合わせることができ、即ち、毎回調整後に該平行ロッド３１３は、そのうち１つの該位置決め凹溝１１３の位置に必ず移動し、後続のロック位置まで回転を行うことができる。このため、本考案の該キャリア３１内に更に、少なくとも１組の弾性係合組３１４を設け（図５〜図７、図１０参照）、本実施例では、４組を有する。各組の該弾性係合組３１４は、該キャリア３１の穴溝３１５内に取り付けられ、該穴溝３１５は、該２つの平行ロッド３１３の間に位置し、且つ溝口は、該軸孔３１２に垂直に向き合う。該弾性係合組３１４は、バネ３１４１及び金属ボール３１４２を含み、該バネ３１４１は、該穴溝３１５内に位置し、該金属ボール３１４２を当接して該位置決めロッド１１と接触し、該バネ３１４の他端は、内筒２内壁と接触する。
【００２２】
本考案中の該限位部材３２及び該キャリア３１の両者は、所定角度のみ相対回転でき、該所定角度は、９０度であり、該所定角度の開始と終了の位置は、それぞれロック解除及びロック状態を表し、本実施例では、２組の限位構造を設計しこの目的を達成する。第１限位構造は、該キャリア３１は、該ソケット３１１内に上向きに延伸する少なくとも１つの位置決め柱３１６を更に形成し（図５及び図１１Ａ参照）、本実施例では２つを有する。該限位部材３２は、相対位置に少なくとも１つの弧形ガイド溝３２２を有し、本実施例では２つを有する。組み立て後、該位置決め柱３１６は、該弧形ガイド溝３２２内に位置し、該弧形ガイド溝３２２の弧度は、該限位部材３２及びキャリア３１の両者を９０度のみ相対回転させる。
【００２３】
第２限位構造は、該ソケット３１１の中心位置付近に更に、下向きに延伸する軸受け溝３１７を含み（図５、図８、図１１Ｂ参照）、該軸受け溝３１７の局部セクションは、更に径方向の寸法が比較的大きな少なくとも１つの嵌合溝３１８を有し、該限位部材３２は、相対位置に更に下向きに延伸する軸部３２３を有し、該軸部３２３の一部のセクションに径方向の寸法が比較的大きな嵌合部３２４を有し、該軸部３２３の外径は、該軸受け溝３１７の溝径と同じであり、その中に取り付けられ、該嵌合溝３１８の分布セクションは、該嵌合部３２４の分布セクションよりも大きく、これにより、該嵌合部３２４は、嵌合溝３１８内でのみ回転移動するように制限でき、最大回転角度は、９０度である。
【００２４】
図５及び図１１Ａに示すように、本考案において、該内筒２がロック点及びロック解除点まで回転するよう位置決めするため、該限位部材３２の円周壁は、少なくとも１つの凸点３２５を有し、本実施例は、２つを有し、且つ互いに１８０度を隔て、該限位部材３２の該凸点３２５の所在地付近に貫通する緩衝孔３２６を有し、該凸点３２５を軸中心径方向へ弾性偏移させ、キャリア３１の該ソケット３１１を形成する垂直壁面に少なくとも２つの位置の異なる凹溝３１９を有し、本実施例は、４つの凹溝３１９を有する。該内筒２が回転された後、該凸点３２５は、適時異なる凹溝３１９内に位置することができ、この時、ロック又はロック解除状態となる。
【００２５】
該限位部材３２は、該キャリア３１のソケット３１１内に制限されるが、如何に該限位部材３２が該キャリア３１から離脱することを防止するかは、本実施例では、２つのネジ３３（図４、図５）を更に設け、該ネジ３３の寸法が孤形ガイド溝３２２より大きく、該ネジ３３は、該位置決め柱３１６をロックでき、これにより限位部材３２及びキャリア３１の両者は、相対回転でき、脱落することがない。
【００２６】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である
【符号の説明】
【００２７】
１  外筒
１０１  軸受け
１０２  上板
１１  位置決めロッド
１１１  平行面
１１２  円孤面
１１３  位置決め凹溝
２  内筒
２０  卓脚部材
３  ロック限位機構
３１  キャリア
３１１  ソケット
３１２  軸孔
３１３  平行ロッド
３１４  弾性係合組
３１４１  バネ
３１４２  金属ボール
３１５  穴溝
３１６  位置決め柱
３１７  軸受け溝
３１８  嵌合溝
３１９  凹溝
３２  限位部材
３２１  滑動孔
３２２  弧形ガイド溝
３２３  軸部
３２４  嵌合部
３２５  凸点
３２６  緩衝孔
３３  ネジ
４  ネジ
Ｔ２  最短距離
Ｔ１  最小直径
【図１】
0003211603.tif 000003
【図２】
0003211603.tif 000004
【図３】
0003211603.tif 000005
【図４】
0003211603.tif 000006
【図５】
0003211603.tif 000007
【図６】
0003211603.tif 000008
【図７】
0003211603.tif 000009
【図８】
0003211603.tif 000010
【図９】
0003211603.tif 000011
【図１０】
0003211603.tif 000012
【図１１Ａ】
0003211603.tif 000013
【図１１Ｂ】
0003211603.tif 000014
【手続補正書】
【提出日】平成29年5月23日(2017.5.23)
【手続補正１】
【補正対象書類名】実用新案登録請求の範囲
【補正対象項目名】全文
【補正方法】変更
【補正の内容】
【実用新案登録請求の範囲】
【請求項１】
筒内中心に位置決めロッドを固定し、該位置決めロッドの縦方向の大部分のセクションは、２つの平行面及び２つの円弧面が互いに接してなり、該２つの円弧面があるセクションの縦方向に２つずつを１組とした複数組の位置決め凹溝を有する外筒と、
軸方向に沿って移動可能に該外筒内に嵌合される内筒と、
キャリア及び限位部材を含み、該限位部材が該キャリアのソケット内に制限され、且つ両者は、所定角度のみ回転されることができ、該キャリアは、該内筒上端に固定され、該キャリア中心に軸孔を有し且つ内部に更に少なくとも２つの平行ロッドを設け、該軸孔を横方向に貫通し、該位置決めロッドは、該軸孔を通過し且つ局部セクションは、該２つの平行ロッドの間に制限され、該限位部材中心に滑動孔を有し、該位置決めロッドの横断面は、該滑動孔と同じであり、該滑動孔を通過するロック限位機構と、
を含み、
該内筒が回転された後、該２つの平行ロッドが該２つの平行面に平行な位置に位置する場合、該内筒は、外筒内で伸縮移動し、該内筒が回転され、該２つの平行ロッドを該２つの位置決め凹溝内に位置させる場合、該内筒は、固定され且つ該外筒内で移動することができない、伸縮卓脚構造。
【請求項２】
前記位置決めロッドの該２つの平行面の間の最短距離は、該位置決め凹溝の間の最小直径以下であり、該２つの平行ロッドの間の最短距離は、該２つの位置決め凹溝の間の最小直径以上であり、且つ該位置決めロッドの最大直径より小さい請求項１に記載の伸縮卓脚構造。
【請求項３】
前記キャリア内の該２つの平行ロッドを１組とし、上下の異なる位置に２組設け、且つ２組の該平行ロッドの縦方向の距離は、縦方向に隣り合う２つの該位置決め凹溝の間の距離に等しい請求項１に記載の伸縮卓脚構造。
【請求項４】
前記キャリア内に更に少なくとも１組の弾性係合組を設け、該弾性係合組は、該キャリアの穴溝内に取り付けられ、該穴溝は、該２つの平行ロッドの間に位置し且つ溝口は該軸孔に向き合い且つ垂直になり、該弾性係合組は、バネと金属ボールを含み、該バネは、該穴溝内に位置され、該金属ボールを当接して該位置決めロッドと接触する請求項１に記載の伸縮卓脚構造。
【請求項５】
前記限位部材及び該キャリアの両者は、所定角度のみ相対回転でき、その構造は、該ソケット内に上向きに延伸する少なくとも１つの位置決め柱を有し、該限位部材の相対位置に少なくとも１つの弧形ガイド溝を有し、該位置決め柱は、該弧形ガイド溝内に位置し、該限位部材及び該キャリアの両者を９０度のみ回転可能にさせる請求項１に記載の伸縮卓脚構造。
【請求項６】
前記限位部材及び該キャリアの両者は、所定角度のみ回転でき、その構造は、該ソケットの中心位置付近に下向きに延伸する軸受け溝を更に含み、該軸受け溝の局部セクションは、径方向の寸法が比較的大きな少なくとも１つの嵌合部を更に有し、該限位部材は、更に相対位置に下向きに延伸する軸部を有し、該軸部の部分の局部セクションは、径方向の寸法が比較的大きな少なくとも１つの嵌合部を有し、該軸部は、該軸受け溝内に取り付けられ、該嵌合部は、嵌合溝内の回転移動を制限することができる請求項１に記載の伸縮卓脚構造。
【請求項７】
前記限位部材の円周壁に少なくとも１つの凸点を有し、該限位部材の該凸点の所在位置付近に貫通する緩衝孔を有し、該凸点を中心へ向けて径方向弾性偏移させ、該キャリアは、該ソケットの垂直壁面に少なくとも２つの位置が異なる凹溝を形成し、該凸点は、適時そのうち１つの該凹溝内に位置することができる請求項１に記載の伸縮卓脚構造。
【請求項８】
更に、２つの固定ネジを設け、該固定ネジは、該位置決め柱にロックすることができ、該ネジの寸法は、弧形ガイド溝より大きく、該限位部材及び該キャリアの両者を相対回転可能であるが、離脱できないようにする請求項５に記載の伸縮卓脚構造。